(57)【要約】【課題】  トラクタの走行に支障とならないように、ツールバーを容易に折り畳んだり元に戻したりすることができる、折り畳み式ツールバーを提供することである。【解決手段】  本発明のトラクタに取り付けられる折り畳み式ツールバー（１０）は、中央に位置する第１部材（１２）と、右側に位置する第２部材（１４）と、左側に位置する第３部材（１６）と、第１部材と第２部材を折り畳み可能に連結するための第１連結部材（１８）と、第１部材と第３部材を折り畳み可能に連結するための第２連結部材（２０）とを備えていることを特徴とするものである。【選択図】  図１
2010200664.tif 000002
【特許請求の範囲】
【請求項１】
トラクタに取り付けられる折り畳み式ツールバーであって、
中央に位置する第１部材と、
右側に位置する第２部材と、
左側に位置する第３部材と、
前記第１部材と前記第２部材を折り畳み可能に連結するための第１連結部材と、
前記第１部材と前記第３部材を折り畳み可能に連結するための第２連結部材と、
を備えていることを特徴とするツールバー。
【請求項２】
前記第１連結具および第２連結具が各々、
基壁と、前記基壁の両側縁に沿ってそれぞれ取り付けられた一対の側壁とから成る、全体としてコの字形横断面の第１部分と、
基壁と、前記第１部分の前記両側壁に外側にそれぞれ位置し、前記基壁の両側縁に沿ってそれぞれ取り付けられた一対の側壁とから成る、全体としてコの字形横断面の第２部分と、
前記第１部分と前記第２部分を回転可能に連結するためのボルトと、
前記第２部分を上方に回転させるように付勢するための弾性手段とを有し、
前記第１連結具の前記基壁が前記第２部材の一端に堅固に固定され、前記第２連結具の前記基壁が前記第３部材の一端に堅固に固定されていることを特徴とする請求項１に記載されたツールバー。
【請求項３】
前記弾性手段が、コイルばね又は螺旋状板ばねであることを特徴とする請求項２に記載されたツールバー。
【請求項４】
前記弾性手段の内側に、弾性手段が潰れるのを防止するためのカラーが配置されていることを特徴とする請求項３に記載されたツールバー。
【発明の詳細な説明】
【技術分野】
【０００１】
本発明は一般に、トラクタに取り付けられるツールバーに関する。より詳細には、本発明は、折り畳み可能なツールバーに関する。
【背景技術】
【０００２】
図１０は、従来の一般的なマスト付きツールバーを示した斜視図である。図１０のツールバーには、５基のカルチベータが装備されている。このようなマスト付きツールバーにカルチベータや中耕具、除草具等の各種農機具を装着し、マストをトラクタの油圧３点支持装置に連結してトラクタを作動させることによって、種々の農作業が行われるのは、周知の事項である。
【発明の開示】
【発明が解決しようとする課題】
【０００３】
しかしながら、ツールバーがトラクタの進行方向と直交方向に延びているため、トラクタの横幅よりもツールバーが長く（幅広に）なる場合には、トラクタの走行に支障を来すこととなる。とりわけ、トラクタが道路上を走行する際には、ツールバーが道路脇の障害物に接触する等の事態が生じ得る。このような事態を回避するため、ツールバーを折り畳み式にする試みが一部でなされているが、ツールバー自体が５０ｋｇ〜８０ｋｇの重量があって重いため、ツールバーを折り畳んだり、元に戻したする作業が容易ではない、という課題がある。
【０００４】
本発明は、このような状況に鑑みて開発されたものであって、トラクタの走行に支障とならないように、ツールバーを容易に折り畳んだり元に戻したりすることができる、折り畳み式ツールバーを提供することを目的としている。
【課題を解決するための手段】
【０００５】
本願請求項１に記載のトラクタに取り付けられる折り畳み式ツールバーは、中央に位置する第１部材と、右側に位置する第２部材と、左側に位置する第３部材と、前記第１部材と前記第２部材を折り畳み可能に連結するための第１連結部材と、前記第１部材と前記第３部材を折り畳み可能に連結するための第２連結部材とを備えていることを特徴とするものである。
【０００６】
本願請求項２に記載の折り畳み式ツールバーは、前記請求項１のツールバーにおいて、前記第１連結具および第２連結具が各々、基壁と、前記基壁の両側縁に沿ってそれぞれ取り付けられた一対の側壁とから成る、全体としてコの字形横断面の第１部分と、基壁と、前記第１部分の前記両側壁に外側にそれぞれ位置し、前記基壁の両側縁に沿ってそれぞれ取り付けられた一対の側壁とから成る、全体としてコの字形横断面の第２部分と、前記第１部分と前記第２部分を回転可能に連結するためのボルトと、前記第２部分を上方に回転させるように付勢するための弾性手段とを有し、前記第１連結具の前記基壁が前記第２部材の一端に堅固に固定され、前記第２連結具の前記基壁が前記第３部材の一端に堅固に固定されていることを特徴とするものである。
【０００７】
本願請求項３に記載の折り畳み式ツールバーは、前記請求項２のツールバーにおいて、前記弾性手段が、コイルばね又は螺旋状板ばねであることを特徴とするものである。
【０００８】
本願請求項４に記載の折り畳み式ツールバーは、前記請求項３のツールバーにおいて、前記弾性手段の内側に、弾性手段が潰れるのを防止するためのカラーが配置されていることを特徴とするものである。
【発明の効果】
【０００９】
本発明によれば、ばね力によりツールバーを容易に折り畳むことができるので、トラクタの走行に支障を来すことなく、農作業に従事することができる。本発明のツールバーは、構造が簡単であるため、製造コストが安価であるとともに、故障が少ないので、維持管理コストを低廉に抑えることができる。
【発明を実施するための最良の形態】
【００１０】
次に添付図面を参照して、本発明の好ましい実施の形態に係る折り畳み式ツールバーについて詳細に説明する。図１は、本発明の好ましい実施の形態に係る折り畳み式ツールバーを示した斜視図である。図１において全体として参照符号１０で示される本発明の好ましい実施の形態に係る折り畳み式ツールバーは、中央に位置する第１部材１２と、右側に位置する第２部材１４と、左側に位置する第３部材１６と、第１部材１２と第２部材１４を折り畳み可能に連結するための第１連結具１８と、第１部材１２と第３部材１６を折り畳み可能に連結するための第２連結具２０とを有している。
【００１１】
第１部材１２、第２部材１４および第３部材１６は好ましくは、角パイプで形成されている。
【００１２】
第１連結具１８は、基壁１８ａ１と、基壁１８ａ１の両側縁に沿ってそれぞれ取り付けられた一対の側壁１８ａ２、１８ａ３とから成る、全体としてコの字形横断面の第１部分１８ａを有しており、基壁１８ａ１が第１部材１２の一端に溶接等で堅固に固定されている。
【００１３】
第１連結具１８は又、基壁１８ｂ１と、第１部分１８ａの側壁１８ａ２、１８ａ３の外側にそれぞれ位置し（図４参照）、基壁１８ｂ１の両側縁に沿ってそれぞれ取り付けられた一対の側壁１８ｂ２、１８ｂ３とから成る、全体としてコの字形横断面の第１部分１８ｂを有しており、基壁１８ｂ１が第２部材１４の一端に溶接等で堅固に固定されている。第１連結具１８は又、第１部分１８ａと第２部分１８ｂを回転可能に連結するためのボルト１８ｃを有している。
【００１４】
第１連結具１８は更に、第２部分１８ｂ（すなわち、第２部材１４）を上方に回転させるように付勢するためのコイルばね１８ｄを有している。コイルばね１８ｄは、図４に示されるように、回転中心となるボルト１８ｃの周囲に配置されている。
【００１５】
図６および図７において、参照符号１８ｅは、第２部材１４が水平位置よりも下方に移動するのを阻止するためのストッパを示している。また、図４〜図７において、参照符号１８ａ２−２、１８ａ３−２、１８ｂ２−２は、ツールバー１０の水平状態を維持するためにボルト（図示せず）を挿入する孔を示しており、１８ａ２−３、１８ａ３−３、１８ｂ２−３は、ツールバー１０の折り畳み状態を維持するためにボルト（図示せず）を挿入する孔を示している。
【００１６】
なお、図６および図７では、図示されていないが、好ましくは、コイルばね１８ｄの内側には、コイルばね１８ｄが潰れるのを防止するための円筒形のカラー１８ｆが配置されている（図８参照）。
【００１７】
以上、第１連結具１８の構成を説明したが、第２連結具２０も第１連結具１８と実質的に同一の構成を有している。
【００１８】
すなわち、第２連結具２０は、基壁２０ａ１と、基壁２０ａ１の両側縁に沿ってそれぞれ取り付けられた一対の側壁２０ａ２、２０ａ３とから成る、全体としてコの字形横断面の第１部分２０ａと、基壁２０ｂ１と、第１部分２０ａの側壁２０ａ２、２０ａ３の外側にそれぞれ位置し、基壁２０ｂ１の両側縁に沿ってそれぞれ取り付けられた一対の側壁２０ｂ２、２０ｂ３とから成る、全体としてコの字形横断面の第２部分２０とを有しており、第１部分２０ａの基壁２０ａ１が第１部材１２の他端に溶接等で堅固に固定され、第２部分２０ｂの基壁２０ｂ１が第２部材１４の一端に溶接等で堅固に固定されている。第２連結具２０は又、第１部分２０ａと第２部分２０ｂを回転可能に連結するためのボルト２０ｃと、第２部分２０ｂ（すなわち、第３部材１６）を上方に回転させるように付勢するためのコイルばね２０ｄを有しており、コイルばね２０ｄは、回転中心となるボルト２０ｃの周囲に配置されている。
【００１９】
以上のように構成された本発明の折り畳み式ツールバー１０の作動について説明する。本発明の折り畳み式ツールバー１０は、使用時（すなわち、農作業時）においては、図１に示されるように、水平状態である。トラクタで移動する場合等の折り畳み式ツールバー１０の不使用時においては、ツールバー１０の水平状態を維持するために１８ａ２−２、１８ａ３−２、１８ｂ２−２等に挿入されているボルト（図示せず）を取り外して、第２部材１４と第３部材１６のいずれか一方又は両方を上方に持ち上げる。すると、第２部材１４及び／又は第３部材１６は、コイルばね１８ｄ、２０ｄのばね力により、第１連結具１８、第２連結具２０を中心として折り畳まれる（図２および図３参照）。そして、折り畳み状態を維持するため、１８ａ２−３、１８ａ３−３、１８ｂ２−３等にボルト（図示せず）を挿入する。ツールバー１０の不使用時には、折り畳み状態を維持するためのボルトを取り外して、第２部材１４及び／又は第３部材１６を押し下げて水平にし、１８ａ２−３、１８ａ３−３、１８ｂ２−３等にボルト（図示せず）を挿入する。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
たとえば、前記実施の形態において、コイルばね１８ｄ、２０ｄが使用されているが、他の弾性手段（例えば、螺旋状板ばね（図９参照））を用いてもよい。
【図面の簡単な説明】
【００２２】
【図１】本発明の好ましい実施の形態に係る折り畳み式ツールバーを示した斜視図である。
【図２】図１の折り畳み式ツールバーを折り畳む途中の状態を示した背面図である。
【図３】図１の折り畳み式ツールバーを完全に折り畳んだ状態を示した背面図である。
【図４】第１連結具を示した分解拡大斜視図である。
【図５】第１連結具を示した拡大斜視図である。
【図６】第１連結具を示した断面図である。
【図７】折り畳む途中の状態の第１連結具を示した断面図である。
【図８】コイルばねを示した斜視図である。
【図９】螺旋状板ばねを示した斜視図である。
【図１０】従来のツールバーを示した斜視図である。
【符号の説明】
【００２３】
１０  折り畳み式ツールバー
１２  第１部材
１４  第２部材
１６  第３部材
１８  第１連結具
１８ａ  第１部分
１８ｂ  第２部分
１８ｃ  ボルト
１８ｄ  コイルばね
１８ｅ  ストッパ
１８ｆ  カラー
２０  第２連結具
２０ａ  第１部分
２０ｂ  第２部分
２０ｃ  ボルト
２０ｄ  コイルばね
２０ｅ  ストッパ
２０ｆ  カラー
【図１】
2010200664.tif 000003
【図２】
2010200664.tif 000004
【図３】
2010200664.tif 000005
【図４】
2010200664.tif 000006
【図５】
2010200664.tif 000007
【図６】
2010200664.tif 000008
【図７】
2010200664.tif 000009
【図８】
2010200664.tif 000010
【図９】
2010200664.tif 000011
【図１０】
2010200664.tif 000012